(57)【要約】【課題】既存の住所録データを用いて容易に副登録人名を主要な差出人名及び宛名とした印刷を行う。【解決手段】印刷装置１０は、住所録データを記憶するメモリカード１８から差出人データ及び宛名データを読み出してＲＡＭ１５に格納する。さらに、差出人データに含まれる副差出人名と宛名データに含まれる副宛名の対応関係を特定する情報を生成してＲＡＭ１５に格納する。その後、印刷装置１０は、ＲＡＭ１５に格納された対応関係を特定する情報に基づいて、被印刷媒体の主差出人名を印刷する領域に副差出人名を印刷し、被印刷媒体の主宛名を印刷する領域に副宛名を印刷する。【選択図】図１
2015176572.tif 000002
【特許請求の範囲】
【請求項１】
主差出人名と、これに従属する副差出人名からなる連名差出人名、及び主宛名と、これに従属する副宛名からなる連名宛名、の前記連名差出人名及び前記連名宛名の少なくともいずれか一方を登録した住所録データの中から、主要となる副差出人名または主要となる副宛名を特定した情報を生成する特定情報生成手段と、
被印刷媒体の主差出人名または主宛名を印刷する領域に、前記特定情報生成手段により特定された特定副差出人名または特定副宛名を印刷する印刷手段と、
を備えることを特徴とする印刷装置。
【請求項２】
請求項１に記載の印刷装置において、
複数の前記特定副宛名がある場合、前記特定副宛名毎に印刷することを特徴とする印刷装置。
【請求項３】
主差出人名と、これに従属する副差出人名からなる連名差出人名、及び主宛名と、これに従属する副宛名からなる連名宛名、の前記連名差出人名及び前記連名宛名の少なくともいずれか一方を登録した住所録データの中から、主要となる副差出人名または主要となる副宛名を特定した情報を生成する特定情報生成手段と、
被印刷媒体の主差出人名または主宛名を印刷する領域に、前記特定情報生成手段により特定された特定副差出人名または特定副宛名を印刷するように印刷装置に指示する印刷指示手段と、
を備えることを特徴とする印刷制御装置。
【請求項４】
主差出人名と、これに従属する副差出人名からなる連名差出人名、及び主宛名と、これに従属する副宛名からなる連名宛名、の前記連名差出人名及び前記連名宛名の少なくともいずれか一方を登録した住所録データの中から、主要となる副差出人名または主要となる副宛名を特定した情報を生成する特定情報生成手段を備え、
被印刷媒体の主差出人名または主宛名を印刷する領域に、前記特定情報生成手段により特定された特定副差出人名または特定副宛名を印刷すること、
を特徴とする印刷方法。
【請求項５】
主差出人名と、これに従属する副差出人名からなる連名差出人名、及び主宛名と、これに従属する副宛名からなる連名宛名、の前記連名差出人名及び前記連名宛名の少なくともいずれか一方を登録した住所録データの中から、主要となる副差出人名または主要となる副宛名を特定した情報を生成し、
被印刷媒体の主差出人名または主宛名を印刷する領域に、前記特定情報生成手段により特定された特定副差出人名または特定副宛名を印刷装置に印刷させる処理をコンピュータが実行することを特徴とするプログラム。
【発明の詳細な説明】
【技術分野】
【０００１】
本発明は、住所録データに基づいて宛名及び差出人名を印刷する機能を備える印刷装置、印刷装置に印刷を指示する印刷制御装置、印刷方法、及び印刷プログラムに関する。
【背景技術】
【０００２】
従来から、名前、住所、郵便番号等のデータを記録した住所録データに基づいてはがきや封書に宛名や差出人の情報を印刷する技術が知られている。このような技術は、現在では、年賀状の印刷などの用途で一般家庭にも広く普及している。この技術を採用した印刷装置は、例えば、特許文献１に開示されている。
【０００３】
住所録データに含まれる各人のレコードには、その各人の主登録人名と連名で印刷されるべき名前（例えば、家族の名前）が含まれている場合がある。以降では、この連名で印刷されるべき名前を副登録人名と記し、主差出人に従属する副登録人名を副差出人名、主宛名に従属する副登録人名を副宛名と記す。
【先行技術文献】
【特許文献】
【０００４】
【特許文献１】特開平０８−２９７６５７号公報
【発明の概要】
【発明が解決しようとする課題】
【０００５】
ところで、子供同士が年賀状をやり取りする場合、小さな子供は自身で年賀状を作ることができないため、両親が代わりに年賀状を作ることがある。
【０００６】
従来の印刷装置では、子供の情報のみを印刷するためには、子供の名前がすでに親のレコードの副登録人名として登録されている場合であっても、子供のレコードを別途作成しなければならず、この作業も親が子供の代わりに行うことになる。このように子供の名前のみの印刷には手間が掛かるため、親が子供の代わりに年賀状を作る場合、子供の名前が副登録人名として登録された親のレコードを用いるのが通常である。その結果、差出人名及び宛名の欄には、親と子供が連名で印刷されることになる。
【０００７】
このような実情を踏まえ、本発明は、既存の住所録データに僅かの変更を適用するだけで副登録人名を主要な差出人名及び宛名とした印刷を容易に行う技術を提供することを目的とする。
【課題を解決するための手段】
【０００８】
本発明の一態様は、主差出人名と、これに従属する副差出人名からなる連名差出人名、及び主宛名と、これに従属する副宛名からなる連名宛名、の前記連名差出人名及び前記連名宛名の少なくともいずれか一方を登録した住所録データの中から、主要となる副差出人名または主要となる副宛名を特定した特定情報を生成する特定情報生成手段と、被印刷媒体の主差出人名を印刷する領域に前記特定情報により特定される特定副差出人名を印刷し、前記被印刷媒体の主宛名を印刷する領域に前記特定情報により特定される特定副宛名を印刷する印刷手段と、を備える印刷装置を提供する。
【０００９】
前記の印刷装置において、複数の前記特定副宛名がある場合、前記特定副宛名ごとに印刷してもよい。
【００１０】
本発明の別の態様は、主差出人名と、これに従属する副差出人名からなる連名差出人名、及び主宛名と、これに従属する副宛名からなる連名宛名、の前記連名差出人名及び前記連名宛名の少なくともいずれか一方を登録した住所録データの中から、主要となる副差出人名または主要となる副宛名を特定した特定情報を生成する特定情報生成手段と、被印刷媒体の主差出人名を印刷する領域に前記特定情報により特定される特定副差出人名が印刷されるように印刷装置に指示し、前記被印刷媒体の主宛名を印刷する領域に前記特定情報により特定される特定副宛名が印刷されるように前記印刷装置に指示する印刷指示手段と、を備える印刷制御装置を提供する。
【００１１】
本発明の更に別の態様は、主差出人名と、これに従属する副差出人名からなる連名差出人名、及び主宛名と、これに従属する副宛名からなる連名宛名、の前記連名差出人名及び前記連名宛名の少なくともいずれか一方を登録した住所録データの中から、主要となる副差出人名または主要となる副宛名を特定した特定情報を生成する特定情報生成手段を備え、被印刷媒体の主差出人名を印刷する領域に、前記特定情報により特定された特定副差出人名を印刷し、前記被印刷媒体の主宛名を印刷する領域に前記特定情報により特定された特定副宛名を印刷する印刷方法を提供する。
【００１２】
本発明の更に別の態様は、主差出人名と、これに従属する副差出人名からなる連名差出人名、及び主宛名と、これに従属する副宛名からなる連名宛名、の前記連名差出人名及び前記連名宛名の少なくともいずれか一方を登録した住所録データの中から、主要な副差出人名または主要な副宛名を特定した特定情報を生成し、被印刷媒体の主差出人名を印刷する領域に前記特定情報により特定される特定副差出人名を印刷させ、前記被印刷媒体の主宛名を印刷する領域に前記特定情報により特定される特定副宛名を印刷装置に印刷させる処理を、コンピュータが実行するプログラムを提供する。
【発明の効果】
【００１３】
本発明によれば、既存の住所録データに僅かの変更を適用するだけで副登録人名を主要な差出人名及び宛名とした印刷を容易に行うことができる。
【図面の簡単な説明】
【００１４】
【図１】本発明の一実施形態に係る印刷装置の構成を示した図である。
【図２】メモリカードに記憶されている宛名データの１レコードと差出人データの１レコードを例示した図である。
【図３】図１に示す印刷装置で行われる印刷処理のフローチャートである。
【図４】印刷処理中に図１に示す印刷装置の表示装置に表示される画面を例示した図である。
【図５】ＲＡＭに記憶されている宛名データの１レコードを例示した図である。
【図６】副登録人名の特定前後における印刷プレビュー画面の一例を示した図である。
【発明を実施するための形態】
【００１５】
図１は、本発明の一実施形態に係る印刷装置１０の構成を示した図である。印刷装置１０は、はがきや封書に宛名や差出人の情報を印刷する印刷装置であり、図１に示すように、ＣＰＵ１１、表示装置１２、入力装置１３、プリンタ部１４、ＲＡＭ１５、ＲＯＭ１６、カード読込装置１７、及び、メモリカード１８を備えている。
【００１６】
ＣＰＵ１１は、ＲＯＭ１６又はメモリカード１８に記憶されているプログラムをＲＡＭ１５にロードして実行することにより、プリンタ部１４に印刷を指示する印刷指示手段である。
【００１７】
表示装置１２は、例えば、カラー液晶ディスプレイ（ＬＣＤ）である。入力装置１３は、キーやペンによるユーザの入力操作を検出する装置であり、例えば、カラー液晶ディスプレイに重ねて配置されたタッチセンサである。
【００１８】
プリンタ部１４は、ＲＡＭ１５の印刷バッファに記憶されている印刷データを受信して、受信した印刷データを、例えば、はがきなどの被印刷媒体に印刷する印刷手段である。
ＲＡＭ１５、ＲＯＭ１６は、それぞれプログラムやプログラムの実行に必要な情報を、揮発的、不揮発的に記憶するメモリである。なお、ＲＡＭ１５内の記憶領域には、例えば、図１に示すような各種情報が割り当てられる。
【００１９】
カード読込装置１７は、メモリカード１８を収容しメモリカード１８へのデータの読み書きを行う装置である。メモリカード１８は、プログラムや後述する住所録データを不揮発的に記憶するストレージである。
【００２０】
メモリカード１８に記憶されている住所録データは、例えば、年賀状などの印刷に使用されるデータであり、１レコード以上の宛名データと差出人データを含んでいる。
【００２１】
図２は、メモリカード１８に記憶されている住所録データ中の宛名データの１レコードと差出人データの１レコードを例示した図である。図２（ａ）に示す宛名データのレコードは、“ヘッダー”から“マーク”まで計２４のデータから構成されている。なお、図２（ａ）に示すレコードは、“西山忠夫”のレコードであり、（西山）奈美、（西山）匡紀くん、（西山）あゆみちゃんの３名の副登録人名（副宛名とも記す）が含まれている。
【００２２】
図２（ｂ）に示す差出人データのレコードは、“ヘッダー”から“自動連結３”まで計１５のデータから構成されている。なお、図２（ｂ）に示すレコードは、“河原利尚”のレコードであり、（河原）唯、（河原）雅俊の２名の副登録人名（副差出人名とも記す）が含まれている。
【００２３】
図３は、図１に示す印刷装置１０で行われる印刷処理のフローチャートである。図４は、それぞれ印刷処理中に印刷装置１０の表示装置１２に表示される画面を例示した図である。図５は、ＲＡＭ１５の領域１５Ａに記憶された宛名データの１レコードを例示した図である。
【００２４】
以下、図３から図５を参照しながら、印刷装置１０で行われる印刷処理、特に、差出人データに含まれる副差出人名を被印刷媒体の主差出人名を印刷する領域に印刷し、且つ、宛名データに含まれる副宛名を被印刷媒体の主宛名を印刷する領域に印刷する処理について、具体的に説明する。
【００２５】
印刷装置１０は、差出人の一覧を表示装置１２に表示させる（ステップＳ１）。ＣＰＵ１１は、カード読込装置１７を介して第１の記憶手段であるメモリカード１８から差出人データを全件（全レコード）読み出して、読み出した差出人データを第２の記憶手段であるＲＡＭ１５の領域１５Ｂに格納する。領域１５Ｂは、図１に示すように、差出人データを記憶する領域である。その後、ＣＰＵ１１は、領域１５Ｂに格納された差出人データから一覧表示用のデータを生成し、ＲＡＭ１５の領域１５Ｌ（液晶表示バッファ）に格納する。そして、表示装置１２が領域１５Ｌに格納されたデータに基づいて差出人の一覧を表示する。
【００２６】
次に、印刷装置１０は、差出人の連名項目（副差出人名）の選択を監視する（ステップＳ３）。ＣＰＵ１１は、入力装置１３からの出力情報が記憶されるＲＡＭ１５の領域１５Ｋを監視し、差出人の詳細情報が表示装置１２に表示されている状態で差出人の連名項目が選択されたか否かを判断する。
【００２７】
差出人の連名項目の選択が検出されると、印刷装置１０は、差出人特定フラグの値を計算しＲＡＭ１５に格納する（ステップＳ５）。ＣＰＵ１１は、選択された差出人の連名項目に対応する副差出人名を特定する情報（差出人特定フラグ）を生成し、ＲＡＭ１５の領域１５Ｇに格納する。例えば、選択された副差出人に対応する差出人データのレコードがＲＡＭ１５の領域１５Ｂに記憶されているｎ件目のレコードであり、選択された連名項目に対応する副差出人名がそのレコードの“連名１”に記憶されている副差出人名である場合であれば、差出人特定フラグの値は、4096*n+128+16で算出される。また、選択された連名項目に対応する副差出人名がその差出人レコードの“連名２”、“連名３”に記憶されている副差出人名である場合であれば、差出人特定フラグの値は、4096*n+128+32、4096*n+128+64で算出される。
【００２８】
図４（ａ）は、差出人一覧から１件目の差出人レコードに対応する差出人（“河原利尚”）を選択し、“連名２”の項目を特定したときの画面の一例を示した図である。“連名２”の副差出人名（“雅俊”）の隣に特定を示すマークが表示されている。このとき、ＲＡＭ１５の領域１５Ｇには、差出人特定フラグ“4096+128+32”が格納される。
【００２９】
次に、印刷装置１０は、宛名の一覧を表示装置１２に表示させる（ステップＳ７）。ＣＰＵ１１は、カード読込装置１７を介してメモリカード１８に記憶されている住所録データ中から宛名データを全件（全レコード）読み出して、読み出した宛名データをＲＡＭ１５の領域１５Ａに格納する。領域１５Ａは、図１に示すように、宛名データを記憶する領域である。その後、ＣＰＵ１１は、領域１５Ａに格納された宛名データから一覧表示用のデータを生成し、ＲＡＭ１５の領域１５Ｌに格納する。そして、表示装置１２が領域１５Ｌに格納されたデータに基づいて宛名の一覧を表示する。
【００３０】
印刷装置１０は、宛名の連名項目の特定を監視する（ステップＳ９）。ＣＰＵ１１は、レコードＲＡＭ１５の領域１５Ｋを監視し、宛名の詳細情報が表示装置１２に表示されている状態で宛名の連名項目が特定されたか否かを判断する。
【００３１】
宛名の連名項目の特定が検出されると、印刷装置１０は、宛名データの“自動連結”を更新する（ステップＳ１１）。ＣＰＵ１１は、領域１５Ａに記憶されている選択された宛名に対応する宛名データのレコードの“自動連結”の値を、そのレコードの“姓”の値と選択された宛名の連名項目に対応する副宛名を結合したものに更新する。なお、選択された副宛名の連名項目に対応する敬称欄に値が存在する場合には、その値も結合して更新する。
【００３２】
さらに、印刷装置１０は、差出人特定フラグの値を宛名データの“ヘッダー”に設定する（ステップＳ１３）。ＣＰＵ１１は、領域１５Ａに記憶されている特定された宛名に対応する宛名データのレコードの“ヘッダー”の値を、ＲＡＭ１５の領域１５Ｇに記憶されている差出人特定フラグの値に更新する。
【００３３】
これにより、宛名データのレコード内に、特定された副宛名と特定された副差出人名を特定する特定情報が含まれることになる。即ち、印刷装置１０では、ＣＰＵ１１は、副差出人名と副宛名を特定した特定情報を生成し、ＲＡＭ１５に格納する特定情報生成手段として機能している。
【００３４】
図４（ｂ）は、宛名一覧から宛名“守谷和成”を選択し、“連名２”の項目を特定したときの画面の一例を示した図である。“連名２”の副宛名（“結菜ちゃん”）の隣に特定を示すマークが表示されている。図４（ｃ）は、宛名一覧から宛名“西山忠夫”を選択し、“連名３”の項目を特定したときの画面の一例を示した図である。“連名３”の副宛名（“あゆみちゃん”）の隣に特定を示すマークが表示されている。図５は、図４（ｃ）で表示されているＲＡＭ１５に記憶された“西山忠夫”の宛名データのレコードの状態を示した図である。図５に示すように、“ヘッダー”に特定された副差出人名を示す情報に従い、“自動連結”に特定された副宛名が性と連結されて格納されている。
【００３５】
なお、連名項目の選択は、図４（ｂ）に示すように、宛名データを詳細表示する参照用画面上で行われてもよく、また、図４（ｃ）に示すように、宛名データを編集又は登録する画面上で行われてもよい。
【００３６】
印刷装置１０は、宛名特定が終了したか、つまり、宛名の連名項目の特定が終了したか否かを判断する（ステップＳ１５）。図４（ｄ）は、宛名の特定が終了後に表示される特定された宛名の一覧を表示する画面の一例である。図４（ｄ）では、副宛名として、“西山あゆみちゃん”と“守谷結衣ちゃん”が特定された様子が示されている。
【００３７】
その後、利用者が、図４（ｄ）に示す印刷確認ボタンを押下すると、印刷装置１０は、印刷プレビューを表示する（ステップＳ１７）。ＣＰＵ１１は、ＲＡＭ１５の領域１５Ａから差出人特定フラグの値が“ヘッダー”に設定されている宛名データを１レコード抽出し、領域１５Ｃに格納する。その後、ＣＰＵ１１は、領域１５Ｃに記憶された宛名データから印刷プレビュー表示用のデータのうち宛名部分を生成し、領域１５Ｌに格納する。具体的には、宛名データの“郵便番号”、“住所”、“自動連結”の値を用いて生成する。
【００３８】
さらに、ＣＰＵ１１は、“ヘッダー”に記憶されている差出人特定フラグの値を参照して、対応する差出人データをＲＡＭ１５の領域１５Ｂから抽出し、領域１５Ｄに格納する。その後、ＣＰＵ１１は、領域１５Ｄに記憶された差出人データから印刷プレビュー表示用のデータのうち差出人部分を生成し、領域１５Ｌに格納する。具体的には、差出人特定フラグの値により特定される差出人データの“郵便番号”、“住所”、“姓”、及び、選択された連名項目に対応する副差出人名（“連名１”、“連名２”、または“連名３”）を用いて生成する。
【００３９】
なお、印刷プレビュー表示用のデータの生成に当たっては、領域１５Ｏに記憶されている印刷用紙タイプ情報と領域１５Ｐに記憶されている印刷レイアウト情報が参照される。また、領域１５Ｃに記憶された宛名データ及び領域１５Ｄに記憶された差出人データから１文字分のデータが順番に領域１５Ｆに読み出されてＲＧＢの情報を含むデータに変換される。
【００４０】
そして、表示装置１２が領域１５Ｌに格納されたデータに基づいて印刷プレビューを表示する。図４（ｅ）は、印刷プレビュー画面の一例を示した図である。図４（ｅ）には、ステップＳ３で特定された “連名２”の副差出人名（“雅俊”）が主差出人を印刷する領域に単独で表示され、且つ、ステップＳ９で特定された “連名３”の副宛名（“あゆみちゃん”）が主宛名を印刷する領域に単独で表示されている様子が示されている。
【００４１】
なお、印刷プレビューを表示中に利用者によって次の宛名レコードを表示するための操作が行われると、領域１５Ａから差出人特定フラグの値が“ヘッダー”に設定されている次の宛名データが１レコード抽出され、同様の処理が行われる。
【００４２】
最後に、印刷プレビューを表示中に印刷ボタンが押下されると、印刷装置１０は印刷処理を行う（ステップＳ１９）。ＣＰＵ１１は、ＲＡＭ１５の領域１５Ａから差出人特定フラグの値が“ヘッダー”に設定されている宛名データを１レコード抽出し、領域１５Ｃに格納する。その後、ＣＰＵ１１は、領域１５Ｃに記憶された宛名データから印刷用のデータのうち宛名部分を生成し、領域１５Ｅに格納する。
【００４３】
さらに、ＣＰＵ１１は、“ヘッダー”に記憶されている差出人特定フラグの値を参照して、対応する差出人データをＲＡＭ１５の領域１５Ｂから抽出し、領域１５Ｄに格納する。その後、ＣＰＵ１１は、領域１５Ｄに記憶された差出人データから印刷用のデータのうち差出人部分を生成し、領域１５Ｅに格納する。
【００４４】
なお、印刷用のデータの生成に当たっては、印刷プレビュー用のデータの生成と同様に、領域１５Ｏに記憶されている印刷用紙タイプ情報と領域１５Ｐに記憶されている印刷レイアウト情報が参照される。また、領域１５Ｃに記憶された宛名データ及び領域１５Ｄに記憶された差出人データから１文字分のデータが順番に領域１５Ｆに読み出されてＲＧＢの情報を含むデータに変換される点も同様である。
【００４５】
印刷用のデータの宛名部分と差出人部分が領域１５Ｅに格納されると、ＣＰＵ１１は、領域１５Ｅに格納された印刷データをプリンタ部１４へ送信し、印刷を指示する。プリンタ部１４は、ＣＰＵ１１からの指示に従って受信した印刷データを被印刷媒体に印刷する。これにより、印刷プレビューと同様の印刷が被印刷媒体に行われる。つまり、被印刷媒体の主差出人を印刷する領域に特定情報生成手段で特定された副差出人名が印刷され、主宛名人を印刷する領域に特定情報生成手段で特定された副宛名が印刷される。
【００４６】
なお、ＣＰＵ１１は、以上の処理を、差出人特定フラグの値が“ヘッダー”に設定されている、領域１５Ａに記憶されているすべての宛名データに対して繰り返し行う。
【００４７】
以上のように、印刷装置１０によれば、既存の住所録データに含まれる副登録人名を主要な差出人名及び宛名とした印刷を行うに当たり、既存の住所録データへの新たなレコードの追加が不要となる。従って、従来の印刷装置で印刷を行う場合に比べて、新たなレコードを作成する作業の省略が可能となり、既存の住所録データに僅かの変更を適用するだけで容易に副登録人名を主要な差出人及び宛名とした印刷を行うことができる。また、上記の印刷に伴う住所録データのデータ量の増加も防止することができる。
【００４８】
上述した実施形態は、発明の理解を容易にするために本発明の具体例を示したものであり、本発明はこれらの実施形態に限定されるものではない。
副登録人名の特定は、印刷前の任意のタイミングで行われてもよい。図６（ａ）に示すように通常の処理によって印刷プレビューを表示後に副登録人名の特定が行われて、図６（ｂ）に示すように印刷プレビューが更新されてもよい。例えば、印刷プレビュー画面の連名部分に対するタッチ操作を検出することにより対応する副登録人名の特定を検出し、印刷データを更新してもよい。
【００４９】
また、印刷データの生成処理と印刷処理とが同一の装置内で行われる例を示したが、印刷データの生成は、例えばパーソナルコンピュータなど、印刷装置１０とは異なる装置によって行われてもよい。つまり、印刷装置１０のプリンタ部１４とそれ以外の部分が分離されて、印刷データを生成し印刷を指示する印刷制御装置と実際の印刷を行う印刷装置とによって印刷装置１０と同様の機能が実現されても良い。
【００５０】
以下、本願の出願当初の特許請求の範囲に記載された発明を付記する。
［付記１］
主差出人名と、これに従属する副差出人名からなる連名差出人名、及び主宛名と、これに従属する副宛名からなる連名宛名、の前記連名差出人名及び前記連名宛名の少なくともいずれか一方を登録した住所録データの中から、主要となる副差出人名または主要となる副宛名を特定した情報を生成する特定情報生成手段と、
被印刷媒体の主差出人名または主宛名を印刷する領域に、前記特定情報生成手段により
特定された特定副差出人名または特定副宛名を印刷する印刷手段と、
を備えることを特徴とする印刷装置。
【００５１】
［付記２］
付記１に記載の印刷装置において、
複数の前記特定副宛名がある場合、前記特定副宛名毎に印刷することを特徴とする印刷装置。
【００５２】
［付記３］
主差出人名と、これに従属する副差出人名からなる連名差出人名、及び主宛名と、これに従属する副宛名からなる連名宛名、の前記連名差出人名及び前記連名宛名の少なくともいずれか一方を登録した住所録データの中から、主要となる副差出人名または主要となる副宛名を特定した情報を生成する特定情報生成手段と、
被印刷媒体の主差出人名または主宛名を印刷する領域に、前記特定情報生成手段により特定された特定副差出人名または特定副宛名を印刷するように印刷装置に指示する印刷指示手段と、
を備えることを特徴とする印刷制御装置。
【００５３】
［付記４］
主差出人名と、これに従属する副差出人名からなる連名差出人名、及び主宛名と、これに従属する副宛名からなる連名宛名、の前記連名差出人名及び前記連名宛名の少なくともいずれか一方を特定した住所録データの中から、主要となる副差出人名または主要となる副宛名を特定した情報を生成する特定情報生成手段を備え、
被印刷媒体の主差出人名または主宛名を印刷する領域に、前記特定情報生成手段により特定された特定差出人名または特定副宛名を印刷すること、
を特徴とする印刷方法。
【００５４】
［付記５］
主差出人名と、これに従属する副差出人名からなる連名差出人名、及び主宛名と、これに従属する副宛名からなる連名宛名、の前記連名差出人名及び前記連名宛名の少なくともいずれか一方を登録した住所録データの中から、主要となる副差出人名または主要となる副宛名を特定した情報を生成し、
被印刷媒体の主差出人名または主宛名を印刷する領域に、前記特定情報生成手段により特定された特定副差出人名または特定副宛名を印刷装置に印刷させる処理をコンピュータが実行することを特徴とするプログラム。
【符号の説明】
【００５５】
１０      印刷装置
１１      ＣＰＵ
１２      表示装置
１３      入力装置
１４      プリンタ部
１５      ＲＡＭ
１６      ＲＯＭ
１７      カード読込装置
１８      メモリカード
【図１】
2015176572.tif 000003
【図２】
2015176572.tif 000004
【図３】
2015176572.tif 000005
【図５】
2015176572.tif 000006
【図４】
2015176572.tif 000007
【図６】
2015176572.tif 000008